(57)【要約】【課題】接合具の使用時や地震の発生時等に根太が損傷するおそれを抑制することのできる枠組壁工法における根太の取付構造及び枠組壁工法を提供する。【解決手段】枠組壁工法用の起立した複数の耐力壁パネル１の上端部に上枠２と頭つなぎ３とを積層固定し、この頭つなぎ３上に２階用の根太１０を取り付ける構造で、根太１０に長い複数のビス１４を縦に螺挿してその根太１０を貫通した各先端部を頭つなぎ３内に位置させる。抜け易い釘を主に使用するのではなく、強い締結効果と引き寄せ効果を発揮するビス１４を主に根太１０を固定するので、根太１０が耐力壁パネル１から簡単に分離したり、損傷するのを抑制防止することができる。【選択図】図１
2011032803.tif 000002
【特許請求の範囲】
【請求項１】
枠組壁工法用の起立した耐力壁の上部に根太を取り付けた枠組壁工法における根太の取付構造であって、
根太に雄螺子部材を螺挿してその先端部を耐力壁の上部内に位置させるようにしたことを特徴とする枠組壁工法における根太の取付構造。
【請求項２】
耐力壁の上端部に頭つなぎを固定し、この頭つなぎ上に根太を複数の雄螺子部材を介して螺着するとともに、各雄螺子部材の根太を貫通した先端部を頭つなぎ内に位置させた請求項１記載の枠組壁工法における根太の取付構造。
【請求項３】
頭つなぎ上に根太を複数の釘により固定し、各釘を根太の内外横方向から頭つなぎに向けて傾斜させた請求項２記載の枠組壁工法における根太の取付構造。
【請求項４】
枠組壁工法用の起立した耐力壁の上端部に頭つなぎを固定し、この頭つなぎ上に根太を取り付ける枠組壁工法であって、
根太に複数の雄螺子部材を螺挿してその根太を貫通した先端部を頭つなぎ内に位置させることを特徴とする枠組壁工法。
【発明の詳細な説明】
【技術分野】
【０００１】
本発明は、木造住宅の建築に用いられる枠組壁工法における根太の取付構造及び枠組壁工法に関するものである。
【背景技術】
【０００２】
木造住宅の建築には、高い耐震性、耐火性、断熱性、気密性、防音性を得る観点から、枠組壁工法（木造枠組壁工法、あるいは２×４工法ともいう）が採用されている（特許文献１、２、３参照）が、この枠組壁工法で木造住宅の２階部分を構築する場合には、図示しない１階用の耐力壁パネルの上部に２階用の根太を複数の釘により固定するようにしている。
【０００３】
根太は、例えば桧や杉松等を使用して横木に形成され、耐力壁パネルの上部に複数本が配列固定されており、２階用の床板を支持するよう機能する。
【先行技術文献】
【特許文献】
【０００４】
【特許文献１】特開２００６‐２２５８７１号公報
【特許文献２】特開２００５‐３２２４４３号公報
【特許文献３】特開平１１‐３１５６０９号公報
【発明の概要】
【発明が解決しようとする課題】
【０００５】
従来における枠組壁工法は、以上のように１階用の耐力壁パネルの上部に２階用の根太を釘により単に固定しているので、根太が耐力壁パネルから分離したり、損傷しやすく、特に釘の打ち込み時、あるいは地震の発生時には根太が釘の周辺から破断するおそれが少なくない。
【０００６】
本発明は上記に鑑みなされたもので、接合具の使用時や地震の発生時等に根太が損傷するおそれを抑制することのできる枠組壁工法における根太の取付構造及び枠組壁工法を提供することを目的としている。
【課題を解決するための手段】
【０００７】
本発明においては上記課題を解決するため、枠組壁工法用の起立した耐力壁の上部に根太を取り付けた構造であって、
根太に雄螺子部材を螺挿（ねじ込んで入れる）してその先端部を耐力壁の上部内に位置させるようにしたことを特徴としている。
【０００８】
なお、耐力壁の上端部に頭つなぎを固定し、この頭つなぎ上に根太を複数の雄螺子部材を介して螺着するとともに、各雄螺子部材の根太を貫通した先端部を頭つなぎ内に位置させることが好ましい。
また、頭つなぎ上に根太を複数の釘により固定し、各釘を根太の内外横方向から頭つなぎに向けて傾斜させることが好ましい。
【０００９】
また、本発明においては上記課題を解決するため、枠組壁工法用の起立した耐力壁の上端部に頭つなぎを固定し、この頭つなぎ上に根太を取り付ける工法であって、
根太に複数の雄螺子部材を螺挿してその根太を貫通した先端部を頭つなぎ内に位置させることを特徴としている。
【００１０】
ここで、特許請求の範囲における枠組壁工法には、少なくとも２×４工法や類似の工法が含まれる。また、耐力壁、根太、雄螺子部材の数は、単数複数を特に問うものではない。根太は、２階用でも良いし、３階用でも良い。雄螺子部材には、各種のネジ、ビス、ボルト等が含まれる。この雄螺子部材の螺挿には、少なくとも螺嵌、螺設、螺着、螺入等の技術が含まれる。
【００１１】
本発明によれば、枠組壁工法で住宅等の根太を固定する場合には、耐力壁の上部に根太を重ねて配置し、この根太に雄螺子部材を螺締めすれば、雄螺子部材の締結作用と引き寄せ作用とにより、耐力壁の上部に根太を締結固定することができる。
【発明の効果】
【００１２】
本発明によれば、接合具の使用時や地震の発生時等に根太が損傷するおそれを抑制することができるという効果がある。
【００１３】
また、耐力壁の上端部に頭つなぎを固定し、この頭つなぎ上に根太を複数の雄螺子部材を介して螺着するとともに、各雄螺子部材の根太を貫通した先端部を頭つなぎ内に位置させれば、並んだ複数の耐力壁を強固に接合することができる。
さらに、頭つなぎ上に根太を複数の釘により固定し、各釘を根太の内外横方向から頭つなぎに向けて傾斜させれば、根太が抜けにくくなるので、根太の脱落防止が期待できる。
【図面の簡単な説明】
【００１４】
【図１】本発明に係る枠組壁工法における根太の取付構造及び枠組壁工法の実施形態を模式的に示す断面説明図である。
【発明を実施するための形態】
【００１５】
以下、図面を参照して本発明の実施形態を説明すると、本実施形態における枠組壁工法における根太の取付構造は、図１に示すように、１階用の複数の耐力壁パネル１に上枠２と頭つなぎ３とを固定し、頭つなぎ３上に２階用の受け木である根太１０を取り付ける構造で、根太１０に長い複数のビス１４を縦に螺挿して締結固定するようにしている。
【００１６】
複数の耐力壁パネル１は、構築された１階用床の周囲に並べて起立して立設され、上端部に横木である上枠２と頭つなぎ３とが重ねて積層固定されており、１階用の天井４を水平に支持するよう機能する。各耐力壁パネル１は、中空の木枠５を備え、この木枠５にグラスウールからなる断熱材６や配線パーツ等が複数の仕切り板を介して内蔵され、木枠５の内外両面には構造用合板７と石膏ボード８とがそれぞれ貼着されており、木枠５と石膏ボード８との間には、結露を防止する防湿気密フィルム９が介在配備される。
【００１７】
上枠２と頭つなぎ３とは、例えば桧、杉、欧州アカ松等を使用して細長い断面矩形にそれぞれ形成され、複数の耐力壁パネル１の上端部に釘打ち固定されており、複数の耐力壁パネル１の接合強度を増大させるよう機能する。また、天井４は、耐力壁パネル１の石膏ボード８の上部にシーリング材を介して支持される中空の木枠５を備え、この木枠５の内部にグラスウールからなる断熱材６等が充填され、木枠５の下面には、耐火性や遮音性に優れる石膏ボード８が貼着されており、木枠５と石膏ボード８との間には、結露防止用の防湿気密フィルム９が介装される。
【００１８】
根太１０は、例えば桧、杉、欧州アカ松等を使用して細長い断面矩形の横木に形成され、平坦な頭つなぎ３の上面に複数本が複数の釘１３を介して配列固定されており、上方に位置する２階用の床板１１と耐力壁パネル１Ａとを支持する。この根太１０は、上面にビス１４用の螺子穴１２が間隔をおいて複数穿孔され、外面には装飾用の構造用合板７Ａが釘打ち固定される。複数の螺子穴１２は、図の左右方向や奥方向に間隔をおいて並べて穿孔される。複数の釘１３は、根太１０の内外横方向から下方の頭つなぎ３に向け、それぞれ傾けて打ち込まれ、先端部が徐々に接近する。
【００１９】
各ビス１４は、例えば長い軸部の周面に螺子山が形成され、先端部が食い付き性向上の観点から細かい二条螺子等に形成されており、頭部の螺子山が緩み防止の観点から逆螺子に形成される。このようなビス１４は、根太１０の螺子穴１２に上方から縦に螺挿され、根太１０の下面を貫通した先端部が上枠２や頭つなぎ３内に螺嵌されることで、頭つなぎ３に根太１０を隙間なく固定する。
【００２０】
上記構成において、枠組壁工法で木造住宅の２階部分の根太１０を固定する場合には、先ず、１階用の耐力壁パネル１の上端部に上枠２と頭つなぎ３とを順次固定し、頭つなぎ３上に２階用の根太１０を重ねて配置し、この根太１０の予め穿孔しておいた複数の螺子穴１２にビス１４を上方からそれぞれ螺締めするとともに、複数の釘１３を根太１０の内外横方向から頭つなぎ３方向にそれぞれ斜め打ちすれば、２階用の根太１０を隙間なく強固に締結固定することができる。
【００２１】
上記構成によれば、抜け易い釘を主に使用するのではなく、強い締結効果と引き寄せ効果を発揮するビス１４を主に根太１０を固定するので、根太１０が耐力壁パネル１から簡単に分離したり、損傷するのを抑制防止することができる。また、釘の打ち込み時や地震の発生時に根太１０が釘の周辺から破断するおそれを有効に払拭することができる。さらに、複数の釘１３を単に打ち込むのではなく、根太１０から頭つなぎ３に斜め打ちして抜けにくくするので、根太１０の抜脱防止が大いに期待できる。
【００２２】
なお、上記実施形態では耐力壁パネル１を単に示したが、様々な種類の耐力壁パネル１を使用しても良く、又耐力壁パネル１・１Ａに筋交い等を固定しても良い。また、複数の釘１３を根太１０の内外横方向から頭つなぎ３方向にそれぞれ斜め打ちしてビス１４の螺締め固定に釘１３の固定を併用したが、何らこれに限定されるものではなく、必要に応じて釘１３の固定を省略しても良い。
【符号の説明】
【００２３】
１        耐力壁パネル（耐力壁）
１Ａ      耐力壁パネル（耐力壁）
２        上枠（耐力壁の上部）
３        頭つなぎ（耐力壁の上部）
１０      根太
１１      床板
１２      螺子穴
１３      釘
１４      ビス（雄螺子部材）
【図１】
2011032803.tif 000003